(57)【要約】【課題】シンプルな構成で力学的に発電させるとともに、その発電により得た電気を周辺機器に供給することで、周辺機器の重量を減らし、クレーンの吊荷重を増やすことができるクレーンのフックブロックを提供することを目的とする。また、そのフックブロックを備えたクレーンを提供する。【解決手段】対面する一対のプレート部と、一対のプレート部間に回転可能に支持されるシーブ部と、シーブ部の鉛直方向下側にフックトラニオンを介して支持されるフック部と、を備えたクレーンのフックブロックであって、フック部近傍には周辺機器が備えられ、シーブ部は、シーブシャフトと一体に設けられ、シーブシャフトは、一対のプレート部から両端が突出する状態で設けられ、一対のプレート部は、シーブシャフトを回転可能とするベアリングを夫々に嵌挿し、シーブシャフトの一端は、当該シーブシャフトの回転により回転駆動することで発電する発電用電動機が設けられる。【選択図】図１
2020147398.tif 000002
【特許請求の範囲】
【請求項１】
対面する一対のプレート部と、
一対のプレート部間に回転可能に支持されるシーブ部と、
シーブ部の鉛直方向下側にフックトラニオンを介して支持されるフック部と、
を備えたクレーンのフックブロックであって、
前記フック部近傍には周辺機器が備えられ、
前記シーブ部は、前記シーブシャフトと一体に設けられ、
前記シーブシャフトは、一対のプレート部から両端が突出する状態で設けられ、
前記一対のプレート部は、前記シーブシャフトを回転可能とするベアリングを夫々に嵌挿し、
前記シーブシャフトの一端は、当該シーブシャフトの回転により回転駆動することで発電する発電用電動機が設けられ、
前記発電用電動機で得られた電気によって周辺機器を駆動する、
クレーンのフックブロック。
【請求項２】
請求項１に記載のフックブロックにおいて、
減速機をさらに備え、
前記減速機は、前記シーブシャフトの一端と前記発電用電動機との間に配設される、
フックブロック。
【請求項３】
請求項１又は２に記載のフックブロックにおいて、
前記周辺機器は、前記フックブロックに吊下げられた状態で構成される、
フックブロック。
【請求項４】
請求項１〜３に記載のフックブロックを備えることを特徴とするクレーン。
【発明の詳細な説明】
【技術分野】
【０００１】
本発明は、クレーンで使用される吊荷用のフックブロック及びそのフックブロックを備えたクレーンに関する。
【背景技術】
【０００２】
従来、クレーンで使用される吊荷用のフックブロックは、主な構成として、一対のプレートと、当該プレートを貫通するとともにプレートに対して回転不能に固定されるシャフトと、該シャフトにベアリングを介して回転可能に支持されるシーブとを備えている（特許文献１図５参照）。このようなフックブロックのシーブには、ワイヤロープが巻き掛けられ、ワイヤロープを巻上げまたは巻下げすることで、フックブロックが昇降する。
また、フックブロックの近傍には、カメラ、風速計などの計測器、或いは、吊荷の挙動を制御するジャイロ機構など（以下、周辺機器という場合がある）が取り付けられている。これらは、二次電池（蓄電池）を備えており、それによって、充電時間内で連続運転をすることができる。
一方、二次電池に電気を供給する技術として、給電ケーブルを作業者の制御室から経由する技術（特許文献２参照）や、シーブにマグネットを取付け、プレート側にコイルを取付け、コイルに誘起した交流電流を直流電流に変換する整流器を備えることで、シーブの回転力を利用して発電に変換する技術（特許文献３参照）等が開示されている。
【先行技術文献】
【特許文献】
【０００３】
【特許文献１】特開２０１３−７５４０６号公報
【特許文献２】実開平２−１３９８８２号公報
【特許文献３】特開２０１１−１０２１６８号公報
【発明の概要】
【発明が解決しようとする課題】
【０００４】
しかしながら、周辺機器を駆動させるには、特許文献２のように直接制御盤から電気を供給するか、或いは、二次電池を備え、それによって電気を供給する必要がある。二次電池を用いて周辺機器を駆動する場合、周辺機器の運転時間を増やそうとすれば、その分、大容量の二次電池が必要となり、周辺機器の重量が重くなる。また、それによりクレーンの吊荷重が減る可能性がある。
また、特許文献２の給電ケーブルの場合、フックブロックの昇降に追従する構造とする必要がある。すなわち、給電ケーブル長に余力をもたせる必要があり、ケーブルをとぐろを巻くように収めるケーブルバスケットなどを備える必要がある。それ故、給電ケーブル長が長くなるとともに、重量も重くなり、また設置スペースも確保する必要があり実用的ではない。
さらに、特許文献３におけるシーブ自体の回転力を利用して発電に変換する技術は、構造が複雑であり、また部品点数も多く、さらに組立作業時間もかかる。
【０００５】
本発明は、かかる事情を鑑みてなされたものであり、その主な目的は、シンプルな構成で力学的に発電させるとともに、その発電により得た電気を周辺機器に供給することで、周辺機器の重量を減らし、クレーンの吊荷重を増やすことができるクレーンのフックブロックを提供することを目的とする。また、そのフックブロックを備えたクレーンを提供することを目的とする。
【課題を解決するための手段】
【０００６】
本発明によれば、対面する一対のプレート部と、一対のプレート部間に回転可能に支持されるシーブ部と、シーブ部の鉛直方向下側にフックトラニオンを介して支持されるフック部と、を備えたクレーンのフックブロックであって、前記フック部近傍には周辺機器が備えられ、前記シーブ部は、前記シーブシャフトと一体に設けられ、前記シーブシャフトは、一対のプレート部から両端が突出する状態で設けられ、前記一対のプレート部は、前記シーブシャフトを回転可能とするベアリングを夫々に嵌挿し、  前記シーブシャフトの一端は、当該シーブシャフトの回転により回転駆動することで発電する発電用電動機が設けられ、前記発電用電動機で得られた電気によって周辺機器を駆動する、クレーンのフックブロックが提供される。
【０００７】
本発明に係るフックブロックでは、シーブ部は、シーブシャフトと一体に設けられ、かかるシーブシャフトは、一対のプレート部に回転可能に構成され、かかる一対のプレート部は、シーブシャフトを回転可能にするベアリングを夫々に嵌挿し、かかるシーブシャフトは、発電用電動機が設けられ、かかる発電用電動機によって、得られた電気を周辺機器に供給することで実施される。このような構成により、シーブシャフトに直接発電用電動機を設けることができ、シンプルな構成で力学的に発電させるとともに、その発電により得た電気を周辺機器に供給することで、周辺機器の重量を減らし、クレーンの吊荷重を増やすことができる。
【０００８】
好ましくは、前記フックブロックにおいて、減速機をさらに備え、前記減速機は、前記シーブシャフトの一端と前記発電用電動機との間に配設される、フックブロックが提供される。
好ましくは、前記フックブロックにおいて、前記周辺機器は、前記フックブロックに吊下げられた状態で構成される、フックブロックが提供される。
本発明の別の観点によれば、クレーンであって、前記フックブロックを備える、クレーンが提供される。
【発明の効果】
【０００９】
本発明によれば、シンプルな構成で力学的に発電させるとともに、その発電により得た電気を周辺機器に供給することで、周辺機器の重量を減らし、クレーンの吊荷重を増やすことができるクレーンのフックブロックを提供することができる。
また、そのフックブロックを備えたクレーンを提供することができる。  
【図面の簡単な説明】
【００１０】
【図１】フックブロックと吊荷周りを示した斜視図。
【図２】フックブロックを示した図であって、図２Ａは正面図、図２Ｂは図２ＡのＡ−Ａ線断面図。
【発明を実施するための形態】
【００１１】
フックブロックの好適な実施形態について、図面を用いて具体的に説明する。以下に示す実施形態中で示した各種特徴事項は、互いに組み合わせ可能である。尚、本実施形態において、天地における天を「上」、地を「下」と表現する場合がある。
【００１２】
１．クレーンの概略説明
第１節では、クレーンに備わるフックブロックの概略説明をする。図１は、フックブロックと吊荷周りを示した斜視図であり、クレーンに用いるフックブロック１０と周辺機器２０と吊荷３０等を模式的に示している。クレーンは、クレーン本体の旋回盤上に搭載された巻上機（不図示）に取り付けられたワイヤロープ４０の“巻き取られ”又は“繰り出され”によって、フックブロック１０を昇降させる構成となっている。
【００１３】
図１に示すように、フックブロック１０の下方には、周辺機器２０が吊下げられ、さらにその下方には、吊荷３０が吊下げられている。本実施形態では、周辺機器２０はジャイロ機構を例として説明するが、周辺機器２０はこれに限らず、フックブロック１０の近傍に取り付けられたカメラ、風速計などの計測器などであっても良い。
【００１４】
２．フックブロックの構成
第２節では、周辺機器２０や吊荷３０などを吊下げるフックブロック１０について説明する。
【００１５】
図２は、フックブロック１０を示した図であって、図２Ａは正面図、図２Ｂは図２ＡのＡ−Ａ線断面図を夫々示している。図２に示すように、フックブロック１０は、一対のプレート部１３，１３と、シーブ部１１と、フック部１６などからなっている。
【００１６】
一対のプレート１３，１３は、略逆さ三角形状の平板部材からなり、各々が対面して配置している。また、一対のプレート１３，１３部は、正面視略中央部分に、貫通孔１８が夫々設けられており、各貫通孔１８には、ベアリング１４が嵌挿されている。また、各ベアリング１４には、後述のシーブシャフト１５の両端が一対のプレート１３，１３から外方に突出するように嵌合されている。これによって、シーブシャフト１５は、一対のプレート１３，１３に対して、回転自在に支持されている。
【００１７】
シーブ部１１は、一対のプレート部１３，１３の中間にシーブシャフト１５を介して回転可能に支持されている。すなわち、シーブ１１は、固定手段によって、シーブシャフト１５に固定されている。固定手段は、例えば、シーブ部１１とシーブシャフト１５とを溶接によって行っても良い。また、シーブ１１とシャフト１５とを鋳造によって一体構造にしても良い。また、キー溝とキーの嵌め合いによって、シーブ部１１の回転と協働するように固定するようにしても良い。
シーブ部１１には、ワイヤロープ４０が巻き掛けられ、このワイヤロープを巻上げまたは巻下げすることで、シーブ部１１を介してフックブロックが昇降する。
【００１８】
シーブシャフト１５は、略円柱状の部材であり、一対のプレート部１３，１３から両端が突出する状態で設けられている。また、シーブシャフト１５の一端は、当該シーブシャフト１５の回転により回転駆動されて発電する発電用電動機１２が直接、取り付けられている。また、減速比を変更したい場合は、シーブシャフト１５の一端に、減速機軸を有する減速機を備え、該減速機軸に直列に配する状態で発電用電動機１２を備えても良い。
【００１９】
フック部１６は、シーブ部１１の鉛直方向下側にフックトラニオン１７を介してフックトラニオン１７の軸に直交する軸回りに回転自在に支持されている。
【００２０】
このように、フックブロック１０は、対面する一対のプレート１３，１３にシーブシャフト１５が各々のプレート１３，１３に嵌挿されたベアリング１４によって回転可能に支持されている。また、シーブシャフト１５は、一対のプレート１３，１３から突出した一端にシーブシャフト１５の回転により回転駆動されて発電する発電用電動機１２が直接設けられている。また、シーブシャフト１５の鉛直方向下方にフックトラニオン１７が回転不能に支持されている。そして、シーブシャフト１５にはシーブ部１１が回転不能に一体に固定されており、フックトラニオン１７にはフック部１６がフックトラニオン１７の軸に直交する軸回りに回転可能に支持されている。
【００２１】
このような構成によって、シーブ部１１が、ワイヤロープ４０の“巻き取られ”又は“繰り出され”によって回転することで、シーブ部１１に一体に設けられたシーブシャフト１５も協働して回転する。そして、当該回転によって、シーブシャフト１５の一端に取り付けられた発電用電動機１２が電気を発電することができる。
【００２２】
すなわち、シーブ部１１とシーブシャフト１５とを一体にし、一対のプレート１３，１３に対してシーブシャフト１５を回転可能な状態とし、シーブシャフト１５の両端を一対のプレート１３，１３から突出させることで、フックブロック１０の外方に回転部（シーブシャフト１５の両端部）を露出させることができる。
【００２３】
それによって、その回転部に直接発電用電動機１２を取り付けることが可能となり、それ故、シンプルな構成で力学的に発電させることができる。
【００２４】
このように発電によって得られた電気は、フック部１６の近傍に設けられた周辺機器２０に給電ケーブル５０を介して供給することができる。
【００２５】
すなわち、発電用電動機１２から周辺機器２０までの給電ケーブル５０の長さは、フックブロックの昇降に左右されることなく、所定の長さに一定にすることができ、余剰ケーブルによる諸々の問題や収納スペースの確保など考慮する必要がなくなる。
【００２６】
また、ケーブル長を短くすることができるので、安定した電気を周辺機器２０まで３供給することができる。
【００２７】
また、周辺機器２０に備わっている二次電池に発電された電気を供給することができるため、二次電池の容量を小さくすることができる。それによって、周辺機器の重量を減らすることができ、それに伴って、クレーンの吊荷重を増やすことができる。
【００２８】
３．結言
以上のように、本実施形態によれば、建設工事用に使用され、シーブ部１１の昇降によって発電された電気を周辺機器に供給できるクレーンのフックブロックを実施することができる。
【００２９】
かかるフックブロックは、対面する一対のプレート部と、一対のプレート間にシーブシャフトを介して回転可能に支持されるシーブ部と、シーブ部の鉛直方向下側にフックトラニオンを介して支持されるフック部と、を備えたクレーンのフックブロックであって、前記フック部近傍には周辺機器が備えられ、前記シーブ部は、前記シーブシャフトと一体に設けられ、前記シーブシャフトは、前記一対のプレート部から両端が突出する状態で設けられ、前記一対のプレート部は、前記シーブシャフトを回転可能とするベアリングを夫々に嵌挿し、前記シーブシャフトの一端は、当該シーブシャフトの回転により回転駆動されて発電する発電用電動機が設けられ、前記発電用電動機で得られた電気によって周辺機器を駆動させることを特徴とする。
【００３０】
最後に、本発明に係る種々の実施形態を説明したが、これらは、例として提示したものであり、発明の範囲を限定することは意図していない。当該新規な実施形態は、その他の様々な形態で実施されることが可能であり、発明の要旨を逸脱しない範囲で、種々の省略、置き換え、変更を行うことができる。当該実施形態やその変形は、発明の範囲や要旨に含まれるとともに、特許請求の範囲に記載された発明とその均等の範囲に含まれるものである。
【符号の説明】
【００３１】
１０      フックブロック
１１      シーブ部
１２      発電用電動機
１３      プレート
１４      ベアリング
１５      シーブシャフト
１６      フック部
１７      フックトラニオン
１８      貫通孔
２０      周辺機器
３０      吊荷
４０      ワイヤロープ
５０      給電ケーブル   
【図１】
2020147398.tif 000003
【図２】
2020147398.tif 000004